【手続補正書】
【提出日】平成18年3月9日(2006.3.9)
【手続補正１】
【補正対象書類名】明細書
【補正対象項目名】全文
【補正方法】変更
【補正の内容】
【書類名】          明細書
【発明の名称】      録画装置
【特許請求の範囲】
【請求項１】
動画情報や音声情報からなるコンテンツを録画する録画装置において、前記コンテンツの分割された複数のシーンの音声レベルに基づいて所要のシーンを抽出する手段を備えていることを特徴とする録画装置。
【請求項２】
請求項１に記載の録画装置において、前記分割された複数のシーンから相対的に音声レベルの高いシーンを抽出することを特徴とする録画装置。
【請求項３】
請求項２に記載の録画装置において、前記コンテンツを分割する手段を備え、分割された複数のシーンのうち、所定のシーンの音声レベルとこの所定のシーンの前又は後のシーンの音声レベルとの比較結果に基づいて所要のシーンを抽出することを特徴とする録画装置。
【請求項４】
請求項１ないし３のいずれかに記載の録画装置において、ユーザからの指示をうけて前記所要のシーンを抽出する動作を行うことを特徴とする録画装置。
【請求項５】
請求項１ないし４のいずれかに記載の録画装置において、前記コンテンツを記憶する手段と、記憶したコンテンツについてシーンの分割を行う手段とを備えていることを特徴とする録画装置。
【請求項６】
請求項５に記載の録画装置において、前記記憶するコンテンツの形式がＭＰＥＧ形式であることを特徴とする録画装置。
【請求項７】
請求項１ないし６のいずれかに記載の録画装置において、前記コンテンツは時間で複数のシーンに分割されることを特徴とする録画装置。
【請求項８】
請求項１ないし６のいずれかに記載の録画装置において、前記コンテンツはコマーシャルで複数のシーンに分割されることを特徴とする録画装置。
【請求項９】
請求項１ないし７のいずれかに記載の録画装置において、前記コンテンツは場面変更で複数のシーンに分割されることを特徴とする録画装置。
【請求項１０】
請求項１ないし８のいずれかに記載の録画装置において、前記抽出したシーン及び抽出したシーンの前後のシーンをつなぎ合わせて出力する手段を備えていることを特徴とする録画装置。
【請求項１１】
請求項１０に記載の録画装置において、つなぎ合わせるシーンの数を変更可能であることを特徴とする録画装置。
【請求項１２】
請求項１１に記載の録画装置において、前記つなぎ合わせるシーンの数をシーン数及び時間の少なくともいずれかに基づいて変更することを特徴とする録画装置。
【請求項１３】
請求項１ないし１２のいずれかに記載の録画装置において、前記所要のシーンの抽出結果に基づいて前記コンテンツを編集し、編集結果を保存するとともに、編集前のコンテンツを削除することを特徴とする録画装置。
【発明の詳細な説明】
【０００１】
【発明の属する技術分野】
本発明は録画装置に関し、例えば、放送されるビデオや音声を含む番組を、ハードディスク（ＨＤＤ）やデジタルビデオディスク（ＤＶＤ）などの記録メディアに録画する録画装置に関する。
【０００２】
【従来の技術】
昨今、記録保存メディアやその周辺装置および画像処理技術などが急速に進歩してきている。これにより、現行のテレビ放送波の品質を維持し、個人が気軽に映像データ（放送コンテンツ）をＨＤＤ（ハードディスク）やＤＶＤ（デジタルビデオディスク）などの記録メディアに保存したり編集するといった機能を実現する次世代のビデオ録画装置が提供されてきている。
【０００３】
このような録画技術環境のなかにおいて、たとえば、特開平７−１８２３６５号公報の「マルチメディア会議録作成支援装置および方法」にはキーワード、発言者などを、画像あるいは音声認識してその重要度を判定し、その結果にしたがってダイジェスト版を作成する旨が開示されている。
【０００４】
また、特開平１１−１９６３８５号公報の「蓄積型情報放送システムと、このシステムの受信端末装置」には、ＴＶコンテンツのダイジェスト版を、ＥＰＧ（電子番組ガイド）としてローカルに受信し、嗜好分析やキーワード検索後、受信する本コンテンツを決定し、蓄積する技術が開示されている。
【０００５】
【発明が解決しようとする課題】
しかしながら、上記に示されるような従来の技術にあっては、音声認識によって発言者を特定してダイジェスト版を作成するものの、たとえば、スポーツ中継などにおいて注目度の高いシーンを抽出しダイジェスト版を撮影することができず、かつ簡単な構成および低録画領域でのダイジェスト版を作成するものではなかった。
【０００６】
本発明は、上記の課題に鑑みてなされたものであって、簡単な構成でダイジェスト版の出力を可能にすることを目的とする。
【０００７】
【課題を解決するための手段】
上記の課題を解決するために、本発明にかかる録画装置は、動画情報や音声情報からなるコンテンツを録画する録画装置において、コンテンツの分割された複数のシーンの音声レベルに基づいて所要のシーンを抽出する手段を備えているものである。
【０００８】
ここで、分割された複数のシーンから相対的に音声レベルの高いシーンを抽出する構成とできる。この場合、コンテンツを分割する手段を備え、分割された複数のシーンのうち、所定のシーンの音声レベルとこの所定のシーンの前又は後のシーンの音声レベルとの比較結果に基づいて所要のシーンを抽出する構成とできる。また、ユーザからの指示をうけて所要のシーンを抽出する動作を行う構成とできる。
を特徴とする録画装置。
【０００９】
また、コンテンツを記憶する手段と、記憶したコンテンツについてシーンの分割を行う手段とを備えている構成とできる。この場合、記憶するコンテンツの形式がＭＰＥＧ形式である構成とできる。
【００１０】
また、コンテンツは時間で複数のシーンに分割される構成、あるいは、コマーシャルで複数のシーンに分割される構成、あるいは、場面変更で複数のシーンに分割される構成とできる。
【００１１】
また、抽出したシーン及び抽出したシーンの前後のシーンをつなぎ合わせて出力する手段を備えている構成とできる。この場合、つなぎ合わせるシーンの数を変更可能である構成とでき、つなぎ合わせるシーンの数をシーン数及び時間の少なくともいずれかに基づいて変更する構成とできる。
【００１２】
また、所要のシーンの抽出結果に基づいてコンテンツを編集し、編集結果を保存するとともに、編集前のコンテンツを削除する構成とできる。
【００１３】
【発明の実施の形態】
以下、本発明にかかる録画装置の好適な実施の形態について添付図面を参照し、詳細に説明する。なお、本発明はこの実施の形態により限定されるものではない。
【００１４】
まず、録画装置の構成について説明する。図１は、本発明の実施の形態にかかる録画装置の構成を示すブロック図である。この録画装置１０は、通常のＶＴＲ（ＶＣＲ）などと同様にテレビ番組などの動画情報を録画する録画環境を実現するものである。このため、録画装置１０にはこの装置全体を統括的に制御するコントローラ１１が設けられている。コントローラ１１には、後述するように、外部入力部１２と、放送チューナ１３と、画像取込圧縮部１４と、録画部１５と、編集部１６と、他の操作ＳＷ部１７と、ＳＷ１８と、が接続されている。
【００１５】
コントローラ１１は、高機能のマイクロコンピュータ・システムで構成される。すなわち、コントローラ１１は、制御プログラムにしたがって統括的な制御を実行するＣＰＵ２０と、制御プログラムなどが格納されているＲＯＭ２１と、ワーキングメモリとして用いられるＲＡＭ２２と、予約録画などに用いられるタイマー２３と、を備えている。
【００１６】
外部入力部１２は、コントローラ１１を介してユーザが各種の入力操作を行なうように、入力キー群、液晶やＬＥＤなどによる表示パネルなどによって構成されている。すなわち、外部入力部１２は、リモートコントローラあるいは各装置に設けられているスイッチなどを備え、開始信号、中断信号、番組開始時刻、番組終了時刻などを設定するように構成されている。
【００１７】
画像取込圧縮部１４は、たとえば、動画像をキャプチャ（ｃａｐｔｕｒｅ：ファイルとして取りこむ）した後、ＭＰＥＧフォーマットで圧縮処理を行なう。なお、ＭＰＥＧは、Ｍｏｖｉｎｇ Ｐｉｃｔｕｒｅ Ｅｘｐｅｒｔｓ Ｇｒｏｕｐ／Ｍｏｖｉｎｇ Ｐｉｃｔｕｒｅ Ｉｍａｇｅ Ｅｘｐｅｒｔｓ Ｇｒｏｕｐの略称であり、カラー動画像符号化方式の標準化作業を推進する組織により標準化された符号化方式である。
【００１８】
動画の圧縮符号化方式は、テレビ会議用に作られたアルゴリズムであるＤＣＴ（Ｄｉｓｃｒｅｔｅ Ｃｏｓｉｎｅ Ｔｒａｎｓｆｏｒｍ：離散コサイン変換）を用いており、リアルタイムで符号化できる。また、ＭＰＥＧには、Ｈ．２６１、ＭＰＥＧ１、ＭＰＥＧ２といったポピューラーな３つの方式があるが、記録メディアや入出力機能、放送メディアなどに合わせて選択されるもので、このいずれであってもよく、さらに他の動画圧縮方式であってもよい。
【００１９】
放送チューナ１３は、通常のテレビと同様の働きをするものであり、一般のテレビの代用であってもよい。解凍部１９は、圧縮方式がＭＰＥＧフォーマットである場合に、通常のＴＶ信号（ＮＴＳＣ（Ｎａｔｉｏｎａｌ Ｔｅｌｅｖｉｓｉｏｎ Ｓｙｓｔｅｍ Ｃｏｍｍｉｔｔｅｅ）方式）に復号化（デコード）し、テレビでの視聴が可能な信号を出力するものであり、復号化された画像を再生し、表示装置（図示せず）に送る。
【００２０】
録画部（保存装置）１５は、ＨＤＤ（ハードディスク）やＤＶＤ（デジタルビデオディスク）などの保存メディアであり、圧縮された番組データ（画像、音声など）を保存する装置である。録画部（保存装置）１５には、通常録画領域２５とダイジェスト版録画領域２６とが設けられている。なお、この実施の形態では、通常録画領域２５とダイジェスト版録画領域２６とを設けているが、場合によってはこの２つ録画領域は特に設けなくてもよい。
【００２１】
編集部１６は、ＭＰＥＧデータの切り取り、音声レベルのサーチ、タグ情報作成、一時データの保存、ＭＰＥＧデータのマージ（ｍｅｒｇｅ）機能などを行なうブロックである。ＳＷ１８は、ダイジェスト版作成用のスイッチである。
【００２２】
つぎに、以上のように構成された録画装置の動作について説明する。
通常の番組録画は、ＶＴＲと同様に放送チューナ１３の出力を、画像取込圧縮部１４でキャプチャした後に所定のＭＰＥＧフォーマットで圧縮し、録画部１５に保存する。また、タイマ予約の場合は、通常録画領域２５に録画される。
【００２３】
つぎに、本発明の特徴となる動作について説明する。図２は、本発明にかかる録画装置の動作例を示すフローチャートである。まず、ＳＷ１８がユーザによって押下されると（ステップＳ１１）、指定されたコンテンツ全域の音声を編集部１６でサーチ（音声スキャン）する（ステップＳ１２）。続いて、あらかじめ定めたスレッシュレベル以上の範囲のタグ情報を作成する（ステップＳ１３）。すなわち、音声レベルの高い部分（特定した値を越えた部分）のタグ（インデックス）情報を作成する。つまり、ここでは記憶したコンテンツについてシーンの分割を行うようにしている。
【００２４】
続いて、タグ情報時間データにおける前時間−Ｚ時間、後時間＋Ｚ時間を算出する（ステップＳ１４）。さらに、上記タグ情報を元にタグ領域をマージし（ステップＳ１５）、ファイル名をつけて保存し（ステップＳ１６）、本コンテンツを削除する（ステップＳ１７）。
【００２５】
すなわち、ここでは、タグ情報の前後の一定時間あるいはあらかじめ分割されているシーン数に基づくシーン（タグ情報±１シーンなど）が切り出され、それぞれがつなぎ合わされ、録画部１５のダイジェスト版録画領域２６に保存される。なお、特定コンテンツの選択方法は、従来のＶＴＲ，ＣＤなどと同様に行なう。
【００２６】
また、上記タグ情報を作成した後、タグ情報＋α部分を切り出し、マージ（１つの順序付けられたリストを作成する）する。マージされて作成完了したダイジェスト版は、ダイジェスト版録画領域２６に別名で保存される。このタグ情報＋α部分の作成方法として、シーン数指定による方法、時間指定による方法を用いる。
【００２７】
また、タグ情報作成方法として、音声レベルがあるレベルを越えた範囲のタグ情報を作成する方法や、特定シーンの音声レベル（瞬間、または平均）と全体平均の音声レベルの比率が一定レベルを越えたシーンのタグ情報作成方法を採用する。
【００２８】
つぎに、ダイジェスト版作成例について図３、図４を用いて説明する。図３は、本発明の実施の形態にかかるダイジェスト版作成例（その１）を示す説明図である。図３における符号１００ａは３分毎に分割された本コンテンツ、符号１１０ａはダイジェスト版である。この例では、分割区間における平均音声レベルをサーチし、音声スレッシュレベルが５以上のものダイジェスト版１１０ａとして作成する。
【００２９】
すなわち、本コンテンツ１００ａは、あらかじめ一定時間（ここでは、３分）単位で分割しておき、各分割単位の平均音声レベルを算出しておく。ダイジェスト版作成時に一定の音声スレッシュレベルを設定（この例では５以上とする）を設定しておき、そのレベル以上の場所にタグ情報を付加する。なお、この付加方法は、別領域に、タグ情報・領域Ｎｏまたは時間範囲情報のペアで確保する。続いて、タグ部のみをマージ（１つの順序付けられたリストを作成する）してダイジェスト版１１０ａを作成し、別領域に別名で保存する。
【００３０】
このシーン分割の方法は、時間単位以外の図示しない方法（場面変更認識、ＣＭ−ＣＭ間など）でもよい。また、音声レベルの検出は、前後の音声レベルの比率、たとえば、対前シーン平均音声レベル≧２の部分でタグ情報作成などによって行なう。
【００３１】
図４は、本発明の実施の形態にかかるダイジェスト版作成例（その２）を示す説明図である。図４における符号１００ｂは３分毎に分割された本コンテンツ、符号１１０ｂはダイジェスト版である。ここでは、本コンテンツ１００ｂをアナログ的に音声スキャンし、音声レベル１０１が、音声スレッシュレベル１０２を越えた領域から、前後の一定時間を抜き取り、タグ情報とする。その後は前述と同様に、タグ部のみをマージ（１つの順序付けられたリストを作成する）してダイジェスト版１１０ｂを作成し、別領域に別名で保存する。
【００３２】
なお、上述したＳＷ１８を設けずに、簡易ダイジェスト版録画モードを選択して番組を録画した後、簡易ダイジェスト版を作成して保存し、元コンテンツを削除することにより、録画領域を短縮する構成としてもよい。
【００３３】
上述における音声レベルのタグ付けは、絶対レベルだけでなく、全域平均レベルに対する特定部分の音声レベルの比率にしたがって行なうか、あるいはコンテンツ全域を、あらかじめ細部に分割し、タグ情報シーンの前後のシーンに対する音声レベルの絶対値または比率で設定してもよい。
【００３４】
また、上記特定部分やコンテンツの細部分割は、図示しないが、時間分割による方法、コマーシャルの検出による方法、画像認識、ズーミング検出などによる細かいシーン分割など従来からの方法のいずれかを用いて実現される。また、タグ部分前後の切り出しは、時間によるものの他に、上述の方法で分割したシーン数、あるいは時間とシーンの組み合わせなどを用いてもよい。
【００３５】
したがって、以上述べてきた録画装置によれば、簡単な構成で、ダイジェスト版の作成を行なうことができる。特に、スポーツ中継などのダイジェスト版の作成では、注目度の高い場面において特にアナウンサ／解説者／観客による音声レベルが高くなるため、この高い音声レベルの部分を利用することで簡単でレベルの高い簡易ダイジェスト版を作成することができる。
【００３６】
また、タグ前後のシーン切り出し時間を変えることにより、自分好みのダイジェスト作成機能にカスタマイズすることが可能になる。さらに、キーワード検出や画像解析といった従来の方法に比べ、より簡単な方法で盛り上がった部分のみを視聴するダイジェスト版を作成することができる。
【００３７】
このように、本実施形態にかかる録画装置によれば、無線または有線で放送されるビデオや音声を含む番組などから供給されるコンテンツを録画する録画装置において、前記コンテンツを保存する録画保存手段と、前記録画保存手段に保存されているコンテンツの音声レベルを検出し、当該音声レベルにしたがってタグ情報を作成する編集手段と、を備えているので、番組などの録画対象の画像をＨＤＤやＤＶＤなどの保存メディアに録画する際に、録画領域における全域に対して音声レベルをサーチし、その音声レベルが周りより高い部分を抽出し、その抽出した部分、たとえば、スポーツ番組などにおいてアナウンサ・解説者や観客の歓声による音声が高い部分の注目シーンについてタグ（インデックス）情報を作成することが可能になるので、簡単でレベルの高いダイジェスト版の作成が実現すると共に、元コンテンツを削除すれば、録画領域を削減することができる。
【００３８】
また、この場合、編集手段は、タグ情報近辺のシーンを自動編集し、簡易ダイジェスト版を作成することにより、たとえば、スポーツ番組などにおいてアナウンサ・解説者および観客の歓声による音声が高い音声レベルを注目シーンの基準として求めたタグ情報を用いるため、レベルの高い注目シーンのダイジェスト版を作成することができる。
【００３９】
また、編集手段は、音声レベルとして音量の絶対値を用いて音声レベルを検出することにより、音声レベルの絶対値があらかじめ定めた閾値を越えた範囲をタグ情報として付加するため、簡単な方法による注目シーンのタグ情報を作成することができる。
【００４０】
また、編集手段は、音声レベルとしてタグ情報近辺または全体の平均音量との比率を用いることにより、音声レベルをスキャンしてタグ情報を作成する際に、平均音声レベル、タグ情報前後のシーンとの比率を使用するため、スポーツ番組などの注目シーンをさらに正確に確保することができる。
【００４１】
また、タグ情報近辺のシーンをあらかじめ分割設定されたシーンの数にしたがってタグ情報近辺のシーンを自動編集することにより、自分好みのダイジェスト作成機能にカスタマイズすることができる。
【００４２】
また、タグ情報前後の特定時間にしたがってタグ情報近辺のシーンを自動編集するので、自分好みのダイジェスト作成機能にカスタマイズすることができる。
【００４３】
【発明の効果】
以上説明したように、本発明にかかる録画装置によれば、コンテンツの分割された複数のシーンの音声レベルに基づいて所要のシーンを抽出する手段を備えているので、簡単でレベルの高いダイジェスト版の作成が可能になる。
【図面の簡単な説明】
【図1】
本発明の実施の形態にかかる録画装置の構成を示すブロック図である。
【図２】
本発明にかかる録画装置の動作例を示すフローチャートである。
【図３】
本発明の実施の形態にかかるダイジェスト版作成例（その１）を示す説明図である。
【図４】
本発明の実施の形態にかかるダイジェスト版作成例（その２）を示す説明図である。
【符号の説明】
１０  録画装置
１１  コントローラ
１２  外部入力部
１３  放送チューナ
１４  画像取込圧縮部
１５  録画部（保存装置）
１６  編集部
１８  ＳＷ
２５  通常録画領域
２６  ダイジェスト版録画領域